(57)【要約】　　　（修正有）【課題】ウォータハンマー現象にも充分耐えうる強固な閉塞を可能とする閉塞具を提供する。【解決手段】畑地灌漑用の散水ホースの任意の部位を閉塞する閉塞具において、閉塞具は、開口部巾狭の支持フレーム１と、支持フレーム１内にスライド自在に挿入した一対の第１、第２の押えフレーム２、３と、各押えフレーム２、３間に嵌合した押圧部材４と、支持フレーム１の固定手段とからなり、第１の押えフレーム２が側壁と水平板部とを備え、第２の押えフレーム３が側壁と水平底部とこの水平底部に形成したガイド溝とを備え、支持フレーム１と各押えフレーム２、３との間に散水ホース５の任意の部位を挿入し、押圧部材４で各押えフレーム２、３を押圧しながら、散水ホース５の当該部位を支持フレーム１の内周面と各押えフレーム２、３の外周面とで挟持することを特徴とする。【選択図】　　　図１
2004016080.tif 000002
【特許請求の範囲】
【請求項１】
畑地灌漑用の散水ホースの任意の部位を閉塞する閉塞具において、上記閉塞具は、開口部巾狭の支持フレームと、支持フレーム内にスライド自在に挿入した一対の第１、第２の押えフレームと、各押えフレーム間に嵌合した押圧部材と、支持フレームの固定手段とからなり、上記第１の押えフレームが側壁と水平板部とを備え、第２の押えフレームが側壁と水平底部とこの水平底部に形成したガイド溝とを備え、支持フレームと各押えフレームとの間に散水ホースの任意の部位を挿入し、押圧部材で各押えフレームを押圧しながら、上記散水ホースの当該部位を支持フレームの内周面と各押えフレームの外周面とで挟持することを特徴とする散水ホースの閉塞具。
【請求項２】
畑地灌漑用の散水ホースの任意の部位を閉塞する閉塞具において、上記閉塞具は、開口部巾狭の支持フレームと、支持フレーム内にスライド自在に挿入した一対の第１、第２の押えフレームと、各押えフレーム間に嵌合した押圧部材と、支持フレームの固定手段とからなり、上記第１の押えフレームが側壁と水平板部とを備え、第２の押えフレームが側壁と水平底部とこの水平底部に形成したガイド溝とを備え、一方の押えフレームの上面側または背面側から導入したホースの任意の部位を上記水平板部を介して上記ガイド溝に嵌合させながら、一方または他方の押えフレームの背面側または上面側に導出させ、押えフレームの上面側に導入または導出させた一側を一方または他方の押えフレームの側壁と押圧部材とで挟持し、背面側に導入または導出させた他側を支持フレームの内周面と一方または他方の押えフレームの外周面とで挟持させることを特徴とする散水ホースの閉塞具。
【請求項３】
上記押圧部材を、弾性な波形の係止線条、長方形の係止板、または山形もしくは波形状の板バネとしたことを特徴とする請求項１または２に記載の散水ホースの閉塞具。
【請求項４】
上記支持フレームの上部に嵌合し、かつ上記各押えフレームが支持フレーム内からの脱出することを防止する係止部材を設けたことを特徴する請求項１、２または３に記載の散水ホースの閉塞具。
【発明の詳細な説明】
【０００１】
【発明の属する技術分野】
本発明は、畑地灌漑用の散水ホースの閉塞具の改良に関する。
【０００２】
【従来の技術】
従来から、畑地またはビニールハウス、ガラスハウス等の温室における畑地灌漑用の散水ホースは、給水栓から畑地の畦間に導かれながら地上を這わせ、散水ホース本体に形成した多数の小孔を介して畦上に散水が行われていた。
【０００３】
そして、上述のように使用される散水ホースは、その端部等を閉塞することにより、端部から水が流出するのを防止するとともに、散水ホースの内の圧力を高める必要がある。
【０００４】
したがって、その散水ホース他端に設けた閉塞具は、強固に散水ホースを閉塞することが要求される。
【０００５】
そして、上述のような散水ホース閉塞具においては、図９、図１０に示すような閉塞具が知られている。
【０００６】
ここで上述した閉塞具について、説明すると、図９に示す通り、閉塞具Ｈ１は、散水ホース５を巻くために使用される筒体１６と、上記筒体１６を巻き込んだ散水ホース５の端部を係止するソケット１５と、上記筒体１６内に挿入されたロープ１７と、上記ロープ１７が結び付けられた杭１８とにより構成されている。
【０００７】
したがって、上述の閉塞具Ｈ１では、散水ホース５が巻かれた状態をソケット１５のみで保持し、ロープ１７と杭１８とで地面側に固定されている。
【０００８】
また、図１０に示す閉塞具Ｈ２は、散水ホース５の端部に挿入した締具１９と、締具１９に螺合あるいは嵌合したキャップ２０とで構成されている。
【０００９】
【発明が解決しようとする課題】
しかし、上記の各閉塞具Ｈ１、Ｈ２では、以下の不具合を招来する危惧がある。
【００１０】
すなわち、散水ホース５の他端に連結された給水栓から送り出される水等が散水ホース５内に侵入すると、散水ホース５の閉塞具Ｈ１、Ｈ２で塞がれた部位で水等がそれ以上先へ進むことが防止されるが、そのとき、侵入してきた水等の流動が速い場合には、散水ホース５の閉塞部で急激にその流れが規制されるので、閉塞部に大きな力が負荷されるウォータハンマー現象が起こる。
【００１１】
すると、上記したウォータハンマー現象により、閉塞具Ｈ１、Ｈ２に大きな水圧が負荷されて、前者の閉塞具Ｈ１では、ソケット１５がはずれてしまい、水等を閉塞することができず、後者の閉塞具Ｈ２では、締具１９またはキャップ２０が水圧に抗することができず散水ホース５からすっぽ抜けてしまうことがある。
【００１２】
さらに、上記閉塞具Ｈ１では、いったん散水ホース端部を巻いてから、ソケット１５を散水ホース５に取り付け、その後、ロープ１７を筒体１６に挿入し、ロープ１７を杭１８に結ぶ作業が必要であり、他方、閉塞具Ｈ２では、散水ホース５の内径より外周が大径の締具１９を散水ホース散水ホース５の端部に挿入しなければならず、閉塞具Ｈ１、Ｈ２の取付作業が面倒である。
【００１３】
そこで、本発明の目的とするところは、上記不具合を改善するために、創案されたものであって、上述のウォータハンマー現象にも充分耐えうる強固な閉塞を可能とする閉塞具を提供することである。
【００１４】
【課題を解決するための手段】
上記した目的を達成するために本発明は、畑地灌漑用の散水ホースの任意の部位を閉塞する閉塞具において、上記閉塞具は、開口部巾狭の支持フレームと、支持フレーム内にスライド自在に挿入した一対の第１、第２の押えフレームと、各押えフレーム間に嵌合した押圧部材と、支持フレームの固定手段とからなり、上記第１の押えフレームが側壁と水平板部とを備え、第２の押えフレームが側壁と水平底部とこの水平底部に形成したガイド溝とを備え、支持フレームと各押えフレームとの間に散水ホースの任意の部位を挿入し、押圧部材で各押えフレームを押圧しながら、上記散水ホースの当該部位を支持フレームの内周面と各押えフレームの外周面とで挟持することを特徴とする。
【００１５】
また、一方の押えフレームの上面側または背面側から導入したホースの任意の部位を上記水平板部を介して上記ガイド溝に嵌合させながら、一方または他方の押えフレームの背面側または上面側に導出させ、押えフレームの上面側に導入または導出させた一側を一方または他方の押えフレームの側壁と押圧部材とで挟持し、背面側に導入または導出させた他側を支持フレームの内周面と一方または他方の押えフレームの外周面とで挟持させることを特徴とする。
【００１６】
より、具体的には、上記押圧部材を、弾性な波形の係止線条、長方形の係止板、または山形もしくは波形状の板バネとしたことを特徴とする。
【００１７】
さらに、上記支持フレームに嵌合し、かつ上記各押えフレームが支持フレーム内からの脱出することを防止する係止部材ソケットを設けたことを特徴する。
【００１８】
【発明の実施の形態】
本発明の実施の形態を、図面に即して説明する。
【００１９】
以下、説明の都合上、本発明を散水ホースの閉塞具として使用する場面を想定して、説明するが、本発明の構成上、散水ホース以外のホースに使用可能なことは、当然である。
【００２０】
本発明の実施の形態は、図１に示す第１の実施の形態と、図７に示す第２の実施の形態と、図８に示す第３の実施の形態とがある。
【００２１】
第１の実施の形態に係る散水ホースの閉塞具は、開口部巾狭の支持フレーム１と、第１の押えフレーム２と、第２の押えフレーム３と、押圧部材たる係止線条４と固定手段たる杭６で構成される。支持フレーム１は、蟻溝フレームの他Ｃ型チャンネルであっても良い。
【００２２】
以下、詳細に説明する。
【００２３】
支持フレーム１は、支持フレーム１は、鳩尾状の溝を備え、上端にカールを設けた断面蟻溝状のフレーム１ｂと上記フレームの短手方向の底面端部から延設される板１ｃと、板１ｃに穿設された孔１ａとからなり、上記溝内に、各押えフレーム２、３がスライド自在に挿入される。
【００２４】
孔１ａ内には、杭６、６が挿入され、地面あるいは他の被固定体に、支持フレーム１を固定することが可能である。
【００２５】
なお、図３に示すように、板１ｃを支持フレーム１の短手方向の端部ではなく、支持フレーム１の底面の長手方向の両端部に設けて、そこに孔を設けてもよく、また、図４、図５に示すように、板１ｃを設けなくとも、たとえば、螺子１０による螺子止め、または、断面略コ字状のホルダー１１内に支持フレーム１とパイプＰを挿入し、その背面に楔１１を打ち込んで固定する等、他の固定具を利用して被固定体に固定してもよい。
【００２６】
したがって、図６に示すように、散水ホース５を地面に這わして使用する場合の他、散水ホース５を複数本のパイプＰに固定することも可能である。
【００２７】
図２に示すように、第１の押えフレーム２は、水平板部２ｂと、水平板部２ｂから内側に傾斜して立ち上がる側壁２ａと、側壁２ａから延設されるカール部２ｃと、カール部２ｃに連設する水平なガイドフレーム２ｂとにより構成される。
【００２８】
他方、第２の押えフレーム３は、水平底部３ｂと、水平底部３ｂから内側に傾斜して立ち上がる側壁３ａと、側壁３ａから延設されるカール部３ｃと、カール部３ｃに連設する水平なガイドフレーム３ｄと、水平底部３ｂに設けられたガイド溝３ｅとにより構成されている。
【００２９】
そして、第２の押えフレーム３のガイド溝３ｅ内に、第１の押えフレーム２の水平板部２ｂを挿入しておくことにより、二つの押えフレーム２、３の横幅は支持フレーム１の開口部および底部の横幅寸法より小さくされて、支持フレーム１内にスライド自在に挿入可能である。
【００３０】
すなわち、ホース５を閉塞するには、図２に示すように、まずホース５を支持フレーム１内に挿入し、その上から第１の押えフレーム２の水平板部２ｂと第２の押えフレーム３の水平底部３ｂとを嵌合させながら、各フレーム２、３を支持フレーム内に挿入する。
【００３１】
つづいて、上記各押えフレーム２、３との間に、係止線条４が自己の弾性に抗して強制的に嵌合する。
【００３２】
すると、この係止線条４が第１の押えフレーム２を支持フレーム１の内周方向に向って押圧するとともに、第２の押えフレーム３を支持フレーム１の内周方向に向って押圧することとなる。
【００３３】
これにより、各押えフレーム２、３がガイド溝３ｅに案内されながら水平にスライドし、支持フレーム１の内周に押し付けられ、結果的にホース５は、支持フレーム１の内周面１ｄと第１の押えフレーム２の側壁２ａの外周面との間と、支持フレーム１の内周面１ｄと第２の押えフレーム３の側壁３ａとの間の２点で挟持され、閉塞される。
【００３４】
さらに、つづいて、支持フレーム１の孔１ａに杭６や、固定具１１、１２等を使用して、任意の位置に固定される。
【００３５】
なお、第１の押えフレーム２の上部にカール部２ｃが設けられているので、ホース５が支持フレーム１の内周面１ｄと第１の押えフレーム２の側壁２ａの外周面との間に挟持された時にホース５を傷つけることが防止されている。
【００３６】
上述のように、散水ホース５を取り付ける際には、散水ホース５をわざわざ巻いたり、ロープ等を使用しなくてよいので、取付作業は簡単なものとなり、先に支持フレーム１を任意の位置に固定しておいてから、散水ホース５を上記過程で取付けてもよいので、便利であり、さらに、散水ホースの任意の位置への取付が簡易に行える。
【００３７】
また、取り外す際は、係止線条４を取り除き、各押えフレーム２、３をガイド溝３ｅに沿って、圧縮しつつ、支持フレーム１の上方あるいは長手方向にスライドさせながら支持フレーム１内から取り出し、各押えフレーム２、３を分離すれば、散水ホース５が解放される。
【００３８】
したがって、取り外しも簡易に行える。
【００３９】
つぎに、作用について説明する。
【００４０】
散水ホース５の他端に接続された給水栓（図示せず）等から、水等が散水ホース５内に送り込まれると、上記支持フレーム１と第１の押えフレーム２とで挟持された部位で、その水等の流れが妨げられる。
【００４１】
そして、さらに水等の散水ホース５内への流入量が増してくると上記支持フレーム１と第１の押えフレーム２とで挟持されている部位の散水ホース５内の液圧が高まり、各押えフレーム２、３を支持フレーム１内から脱出させるように作用する。
【００４２】
しかし、第１の押えフレーム２、３は係止線条４で支持フレーム１方向に付勢され、かつ、支持フレーム１の開口部が巾狭となっているから、各押えフレーム２、３が支持フレーム１から脱出するのを防止し、第１の押えフレーム２と支持フレーム１との間で散水ホース５を挟持しているので、効果的に水等の散水ホース５内のそれ以上先への侵入を防止できる。
【００４３】
さらに、上記の液圧が尚一層高まった場合やウォータハンマー現象により、急激で大きい液圧が負荷された場合において、上記の支持フレーム１と第１の押えフレーム２で閉塞している部位を水等が通過しても、散水ホース５はその先で第２の押えフレーム３と支持フレーム１とで挟持されており、かつ、水等が上記支持フレーム１と第１の押えフレーム２で閉塞している部位を押し広げることに起因して係止線条４の付勢力を高めるから、強固に散水ホース５の支持フレーム１と第１の押えフレーム２および第２の押えフレーム３とで挟持されている部位を閉塞するから、効果的に散水ホース５を閉塞することが可能である。
【００４４】
さらに、散水ホース５内に水等が送り込まれることに起因して散水ホース５が暴れて、散水ホース５に引張力が負荷されても、係止線条４が各押えフレーム２、３を付勢して、上述のように支持フレーム１と第１の押えフレーム２との間、支持フレーム１と第２の押えフレーム３との間の２点で、係止線条４に押圧されながら挟持されているから、散水ホース５が閉塞具から抜け出してしまうことを防止することができるので、結果として大きな引張力が散水ホース５に負荷されても、閉塞が保つことができる。
【００４５】
したがって、単にソケットで閉塞したものや、締具をホース５の端部に挿入したような従来の閉塞具にくらべ、本発明では上述のようにホース５を係止線条４により押圧しながら２点で挟持しており、効果的にホース５の閉塞を保ちつつ、大きな引張力にも耐えうることができる。
【００４６】
つづいて、第２の実施の形態について説明する。
【００４７】
第２の実施の形態に係る散水ホースの閉塞具は、第１の実施の形態と同様に開口部巾狭の支持フレーム１と、第１の押えフレーム２と、第２の押えフレーム３と、押圧部材たる係止線条４と固定手段たる杭６で構成される。
【００４８】
以下、詳細に説明する。
【００４９】
第２の実施の形態を構成する各部材の詳細な説明は、第１の実施の形態で説明したものと同様であるので、簡略化のため省略する。
【００５０】
上述のように第１の実施の形態と同様の散水ホースの閉塞具を使用するが、第２の実施の形態では、以下のようにホース５を閉塞する。
【００５１】
まず、図７に示すように、まずホース５を第１のシート押えフレーム２の水平板部２ｂと第２のシート押えフレーム３の水平底部３ｂとで、挟み込むことによりホース５が第２のシート押えフレーム３のガイド溝３ｅに入り込み、折り畳まれる。
【００５２】
つぎに、上記のようにホース５が折り畳まれ、且つ上記各シート押えフレーム２、３に挟み込まれながら支持フレーム１の蟻溝内に挿入される。
【００５３】
このとき、ホース５の一方側を第１のシート押えフレーム２と支持フレーム１の内周で挟持するように挿入する。
【００５４】
そして、上記各シート押えフレーム２、３との間に、係止線条４が自己の弾性に抗して強制的に嵌合するが、ホース５の他方側を第１のシート押えフレーム２の内周に沿わせて、ホース５を第１のシート押えフレーム２と係止線条４とで挟持するようにする。
【００５５】
すると、この係止線条４が第１のシート押えフレーム２とホース５とを支持フレーム１の内周方向に向って押圧するとともに、第２のシート押えフレーム３を支持フレーム１の内周方向に向って押圧することとなる。
【００５６】
これにより、各シート押えフレーム２、３がガイド溝３ｅに案内されながら水平にスライドし、支持フレーム１の内周に押し付けられ、結果的にホース５は、支持フレーム１の内周面１ｄと第１のシート押えフレーム２の側壁２ａの外周面との間と、第１のシート押えフレーム２の水平板部２ｂと第２のシート押えフレーム３のガイド溝３ｅとの間、および第１のシート押えフレーム２の側壁２ａの内周面と係止線条４との間の３点で挟持され、閉塞される。
【００５７】
さらに、支持フレーム１の孔１ａに杭６や、固定具１１、１２等を使用して、任意の位置に固定される。
【００５８】
なお、本実施の形態では、第２の押えフレーム３のみにガイド溝３ｅを設けているが、第１の押えフレーム２にもガイド溝を設けて、散水ホース５を二重に折り曲げてもよい。
【００５９】
上述のように、散水ホース５を取り付ける際には、散水ホース５をわざわざ巻いたり、ロープ等を使用しなくてよいので、取付作業は簡単なものとなり、先に支持フレーム１を任意の位置に固定しておいてから、散水ホース５を上記過程で取付けてもよいので、便利であり、さらに、散水ホースの任意の位置への取付が簡易に行える。
【００６０】
また、取り外す際は、係止線条４を取り除き、各押えフレーム２、３をガイド溝３ｅに沿って、圧縮しつつ、支持フレーム１の上方あるいは長手方向にスライドさせながら支持フレーム１内から取り出し、各押えフレーム２、３を分離すれば、散水ホース５が解放される。
【００６１】
したがって、第２の実施の形態でも、ホース５の取り外しが簡易に行える。
【００６２】
なお、第１のシート押えフレーム２の上部にカール部２ｃが設けられているので、ホース５が支持フレーム１の内周面１ｄと第１のシート押えフレーム２の側壁２ａの外周面との間に挟持された時にホース５を傷つけることが防止されているのは、第１の実施の形態と同様である。
【００６３】
上記のように、ホース５が閉塞装置に閉塞されたときの作用について説明する。
【００６４】
散水ホース５の他端に接続された給水栓（図示せず）等から、水等が散水ホース５内に送り込まれると、上記支持フレーム１と第１の押えフレーム２とで挟持された部位で、その水等の流れが妨げられる。
【００６５】
そして、さらに水等の散水ホース５内への流入量が増してくると上記支持フレーム１と第１の押えフレーム２とで挟持されている部位の散水ホース５内の液圧が高まり、各押えフレーム２、３を支持フレーム１内から脱出させるように作用する。
【００６６】
しかし、第１の押えフレーム２、３は係止線条４で支持フレーム１方向に付勢され、かつ、支持フレーム１の開口部が巾狭となっているから、各押えフレーム２、３が支持フレーム１から脱出するのを防止し、第１の押えフレーム２と支持フレーム１との間で散水ホース５を挟持しているので、効果的に水等の散水ホース５内のそれ以上先への侵入を防止できる。
【００６７】
さらに、上記の液圧が尚一層高まった場合やウォータハンマー現象により、急激で大きい液圧が負荷された場合において、上記の支持フレーム１と第１の押えフレーム２で閉塞している部位を水等が通過しても、散水ホース５はその先で折り曲げられながら第１の押えフレーム２と第２の押えフレーム３とで挟持されており、かつ、水等が上記支持フレーム１と第１の押えフレーム２で閉塞している部位を押し広げることに起因して係止線条４の付勢力を高めるから、強固に散水ホース５の第１の押えフレーム２と第２の押えフレーム３とで挟持されている部位を閉塞するから、効果的に散水ホース５を閉塞することが可能である。
【００６８】
さらに、散水ホース５内に水等が送り込まれることに起因して散水ホース５が暴れて、散水ホース５に引張力が負荷されても、係止線条４が各押えフレーム２、３を付勢して、上述のように支持フレーム１と第１の押えフレーム２との間、第１の押えフレーム２と第２の押えフレーム３との間、および第２の押えフレーム３と係止線条４との間の３点で挟持されているから、散水ホース５が閉塞具から抜け出してしまうことを防止することができるので、結果として大きな引張力が散水ホース５に負荷されても、閉塞が保つことができる。
【００６９】
つづいて、第３の実施の形態について説明する。
【００７０】
図８は、上述の実施の形態で説明した支持フレーム１に、係止部材２１を取り付け、押圧部材に係止板２２を使用したものであり、他の部分については上述の実施の形態を同様の構成である。
【００７１】
この場合には、散水ホース５を上述のように各押えフレーム２、３で挟み込みながら、支持フレーム１内に挿入して、上記係止線条４の替わりに係止板２２を挿入し、係止板２２中央にある孔２２ａに、たとえば、マイナスドライバを用いて水平に回転させて各押えフレーム２、３を支持フレーム１へ向けて付勢する。
【００７２】
なお、係止板２２は、複数用いてもよく、さらに、上述の係止線条４と併用してもよい。
【００７３】
さらに、上記の構成をとりながら、支持フレーム１のカール部分と各押えフレーム２、３を抱持するソケット２１を、支持フレーム１の長手方向端部側からスライドさせて嵌合する。
【００７４】
すると、上記の実施の形態で説明した効果に加えて、ウォータハンマー現象や、散水ホース５の暴れによる引張力や、外部からの衝撃が閉塞具に負荷されても、係止板２２で付勢されているばかりでなく、係止部材２１も各押えフレーム２、３の脱出を抑制するので、各押えフレーム２、３を支持フレーム１内から脱出を防止でき、さらに強固に散水ホース５を閉塞することが可能である。
【００７５】
【発明の効果】
本発明によれば以下の効果がある。
【００７６】
各請求項の発明によれば、散水ホースを支持フレーム内で各押えフレームを介して、押圧部材により押圧しながら、挟持することができるから効果的に散水ホースを強固に閉塞することが可能である。
【００７７】
したがって、ウォータハンマー現象が生じても、散水ホースの閉塞を保つことが可能である。
【００７８】
また、押圧部材によって、各押えフレームが支持フレーム内に係止されているので、外部からの衝撃や散水ホース内に高液圧が負荷されても、各押えフレームが支持フレーム外へ脱出することを防止できるので、閉塞を保つことが可能である。
【００７９】
さらに、閉塞具を上記構成としたから、散水ホースの閉塞具への着脱が容易である。
【００８０】
そして、さらに、閉塞具を上記構成としたので、散水ホースの任意の部位を閉塞することが可能である。
【００８１】
また、請求項２から４に記載の発明によれば、散水ホースを支持フレームと第１または第２の押えフレームとの間、第１の押えフレームと第２の押えフレームとの間、および第１または第２の押えフレームと押圧部材との間の３点で挟持することができるので、大きな引張力が散水ホースに負荷されても、散水ホースの閉塞を保つことができる。
【００８２】
さらに、請求項３の発明によれば、押圧部材を係止線条、係止板等にしたことから、散水ホースの閉塞具への取付が簡易に行うことが可能である。
【００８３】
また、請求項４の発明によれば、各押えフレームが支持フレーム内からの脱出することを防止するソケットを設けたので、外部からの衝撃や散水ホース内に高液圧が負荷されても、各押えフレームが支持フレーム外へ脱出することを防止できるので、より一層、散水ホースの閉塞を保つことが可能である。
【図面の簡単な説明】
【図１】第１の実施の形態における散水ホースの閉塞具の斜視図である。
【図２】図１の断面図である。
【図３】板を支持フレーム長手方向両端に設けた閉塞具の斜視図である。
【図４】閉塞具をパイプに取付けた状態における拡大斜視図である。
【図５】閉塞具をパイプに取付けた状態における拡大斜視図である。
【図６】閉塞具をパイプに取付けた状態における斜視図である。
【図７】第２の実施の形態における散水ホースの閉塞具の断面図である。
【図８】第３の実施の形態における閉塞具の斜視図である。
【図９】従来の閉塞具の斜視図である。
【図１０】従来の閉塞具の斜視図である。
【符号の説明】
１、７、８、９　　支持フレーム
１ａ　孔
１ｂ　フレーム
１ｃ　板
２　　第１の押えフレーム
２ａ、３ａ　側壁
２ｂ　水平板部
２ｃ、３ｃ　カール部
２ｄ、３ｄ　ガイドフレーム
３　　第２の押えフレーム
３ｂ　水平底部
３ｅ　ガイド溝
４　　係止線条
５　　散水ホース
６　　杭
１０　螺子
１１　ホルダー
１２　楔
２１　係止部材
２２　係止板
【図１】
2004016080.tif 000003
【図２】
2004016080.tif 000004
【図３】
2004016080.tif 000005
【図４】
2004016080.tif 000006
【図５】
2004016080.tif 000007
【図６】
2004016080.tif 000008
【図７】
2004016080.tif 000009
【図８】
2004016080.tif 000010
【図９】
2004016080.tif 000011
【図１０】
2004016080.tif 000012